(57)【要約】【課題】配線接続作業を容易化すると共に、端子ねじに対する配線端部に設けた端子の係合状態を容易に確認できるようにする。【解決手段】ねじ穴２ａが設けられ基体に対して絶縁保持された端子金具２と、該基体に対して前記ねじ穴の軸方向と平行に所定範囲で移動自在に係合された平行移動部５ａ、及びその平行移動部に対して端子金具に対向するように突設され前記ねじ穴に螺合される端子ねじ３を回転自在に係止する端子ねじ係止部５ｂを有する端子ねじ保持部材５と、前記基体と前記端子ねじ保持部材との間に装着され前記端子ねじを前記ねじ穴から緩めたときに該端子ねじが該ねじ穴から離間されるように端子ねじ保持部材を端子金具からアップさせる弾性部材４と、を備え、前記端子ねじ係止部は、対向された前記端子金具との間隔を、接続する配線８の挿入側で広げ得るように、前記平行移動部に対して可回動部材７Ａを介して連結した。【選択図】図２
2016207294.tif 000002
【特許請求の範囲】
【請求項１】
ねじ穴が設けられ基体に対して絶縁保持された端子金具と、前記基体に対して前記ねじ穴の軸方向と平行に所定範囲で移動自在に係合された平行移動部、及びその平行移動部に対して前記端子金具に対向するように突設され前記ねじ穴に螺合される端子ねじを回転自在に係止する端子ねじ係止部を有する端子ねじ保持部材と、前記基体と前記端子ねじ保持部材との間に装着され前記端子ねじを前記ねじ穴から螺合関係が解放されるまで緩めたときに前記端子ねじが前記ねじ穴から離間されるように前記端子ねじ保持部材を前記端子金具からアップさせる弾性部材と、を備え、前記端子ねじ係止部は、対向された前記端子金具との間隔を、接続する配線の挿入側で広げ得るように、前記平行移動部に対して可回動部材を介して連結されていることを特徴とするねじアップ式端子台装置。
【請求項２】
前記可回動部材は、ヒンジからなることを特徴とする請求項１記載のねじアップ式端子台装置。
【請求項３】
前記可回動部材は、板ばねからなることを特徴とする請求項１記載のねじアップ式端子台装置。
【請求項４】
前記可回動部材は、可撓導体からなることを特徴とする請求項１記載のねじアップ式端子台装置。
【請求項５】
前記可回動部材は、ゴム板からなることを特徴とする請求項１記載のねじアップ式端子台装置。
【請求項６】
ねじ穴が設けられ基体に対して絶縁保持された端子金具と、前記基体に対して前記ねじ穴の軸方向と平行に所定範囲で移動自在に係合された平行移動部、及びその平行移動部に対して前記端子金具に対向するように突設され前記ねじ穴に螺合される端子ねじを回転自在に係止する端子ねじ係止部を有する端子ねじ保持部材と、前記基体と前記端子ねじ保持部材との間に装着され前記端子ねじを前記ねじ穴から螺合関係が解放されるまで緩めたときに前記端子ねじが前記ねじ穴から離間されるように前記端子ねじ保持部材を前記端子金具からアップさせる弾性部材と、を備え、前記端子ねじ保持部材は、前記端子ねじ係止部が、前記平行移動部に対して前記ねじ穴の軸方向と平行にスライド移動可能に連結されていることを特徴とするねじアップ式端子台装置。
【請求項７】
ねじ穴が設けられ基体に対して絶縁保持された端子金具と、前記基体に対して前記ねじ穴の軸方向と平行に所定範囲で移動自在に係合された平行移動部、及びその平行移動部に対して前記端子金具に対向するように突設され前記ねじ穴に螺合される端子ねじを回転自在に係止する端子ねじ係止部を有する端子ねじ保持部材と、前記基体と前記端子ねじ保持部材との間に装着され前記端子ねじを前記ねじ穴から螺合関係が解放されるまで緩めたときに前記端子ねじが前記ねじ穴から離間されるように前記端子ねじ保持部材を前記端子金具からアップさせる弾性部材と、を備え、前記端子金具は、前記基体が水平方向の姿勢にあるときに、端部に圧着端子を設けた配線の挿入方向が、斜め上から斜め下方向となるように傾斜されて成ることを特徴とするねじアップ式端子台装置。
【発明の詳細な説明】
【技術分野】
【０００１】
本発明は、例えば配電盤や制御盤などにおける外部配線の接続、分岐又は中継を行う場合などに使用されるねじアップ式端子台装置に関するものである。
【背景技術】
【０００２】
従来の端子台装置として、端子先端部を含む端子台（本体）をヒンジ等にてベースに結合し、作業時に端子先端部の角度を変えられるようにして作業の容易化・確実化を行うようにしたものがある。（例えば、特許文献１参照）
【先行技術文献】
【特許文献】
【０００３】
【特許文献１】特開２００８−４２９５５号公報（第８頁、図４）
【発明の開示】
【発明が解決しようとする課題】
【０００４】
上記のような従来の端子台装置においては、配線の接続作業を容易にするためには、端子台とは別にヒンジ部、保持アームを用意する必要があった。また配線の一部に追加・取外しなどが発生した場合、既存の配線が邪魔になり角度を変えることが困難であるという課題があった。
【０００５】
本発明は上記のような課題を解決するためになされたものであり、端子台に対する配線の接続作業を容易に出来るとともに、端子ねじに対する配線の先端部に設けた端子の係合状態を容易に確認できるねじアップ式端子台装置を得ることを目的としている。
【課題を解決するための手段】
【０００６】
本発明に係るねじアップ式端子台装置は、ねじ穴が設けられ基体に対して絶縁保持された端子金具と、前記基体に対して前記ねじ穴の軸方向と平行に所定範囲で移動自在に係合された平行移動部、及びその平行移動部に対して前記端子金具に対向するように突設され前記ねじ穴に螺合される端子ねじを回転自在に係止する端子ねじ係止部を有する端子ねじ保持部材と、前記基体と前記端子ねじ保持部材との間に装着され前記端子ねじを前記ねじ穴から螺合関係が解放されるまで緩めたときに前記端子ねじが前記ねじ穴から離間されるように前記端子ねじ保持部材を前記端子金具からアップさせる弾性部材と、を備え、前記端子ねじ係止部は、対向された前記端子金具との間隔を、接続する配線の挿入側で広げ得るように、前記平行移動部に対して可回動部材を介して連結するようにした。
また、本発明に係るねじアップ式端子台装置は、ねじ穴が設けられ基体に対して絶縁保持された端子金具と、前記基体に対して前記ねじ穴の軸方向と平行に所定範囲で移動自在に係合された平行移動部、及びその平行移動部に対して前記端子金具に対向するように突設され前記ねじ穴に螺合される端子ねじを回転自在に係止する端子ねじ係止部を有する端子ねじ保持部材と、前記基体と前記端子ねじ保持部材との間に装着され前記端子ねじを前記ねじ穴から螺合関係が解放されるまで緩めたときに前記端子ねじが前記ねじ穴から離間されるように前記端子ねじ保持部材を前記端子金具からアップさせる弾性部材と、を備え、前記端子ねじ保持部材は、前記端子ねじ係止部が、前記平行移動部に対して前記ねじ穴の軸方向と平行にスライド移動可能に連結するようにした。
また、本発明に係るねじアップ式端子台装置は、ねじ穴が設けられ基体に対して絶縁保持された端子金具と、前記基体に対して前記ねじ穴の軸方向と平行に所定範囲で移動自在に係合された平行移動部、及びその平行移動部に対して前記端子金具に対向するように突設され前記ねじ穴に螺合される端子ねじを回転自在に係止する端子ねじ係止部を有する端子ねじ保持部材と、前記基体と前記端子ねじ保持部材との間に装着され前記端子ねじを前記ねじ穴から螺合関係が解放されるまで緩めたときに前記端子ねじが前記ねじ穴から離間されるように前記端子ねじ保持部材を前記端子金具からアップさせる弾性部材と、を備え、前記端子金具は、前記基体が水平方向の姿勢にあるときに、端部に圧着端子を設けた配線の挿入方向が、斜め上から斜め下方向となるように傾斜されて成るものである。
【発明の効果】
【０００７】
本発明によれば、端子ねじ保持部材における端子ねじ係止部を、対向された端子金具との間隔を接続する配線の挿入側で広げ得るように、平行移動部に対して可回動部材を介して連結するようにしたので、接続する配線の挿入方向を、作業し易い斜め上から斜め下を向く方向に変えることができるとともに、端子ねじに対する配線先端部の端子の係合状態を容易に確認できるので接続作業の確実化を図ることができる。
また、本発明によれば、端子ねじ保持部材における端子ねじ係止部を、平行移動部に対して端子金具のねじ穴の軸方向と平行にスライド移動可能に連結するようにしたので、接続する配線の挿入方向を、作業し易い斜め上から斜め下を向く方向に変えることができるとともに、端子ねじに対する配線先端部の端子の係合状態を容易に確認できるので接続作業の確実化を図ることができる。
また、本発明によれば、端子金具は、基体の姿勢が水平方向にあるときに、端部に圧着端子を設けた配線の挿入方向が、斜め上から斜め下方向となるように傾斜されて成るようにしたので、特別な操作を要することなく、接続する配線の挿入方向が、作業し易い斜め上から斜め下を向く方向となっているので、端子ねじに対する配線先端部の端子の係合状態を容易に確認でき、接続作業の確実化を図ることができる。
【図面の簡単な説明】
【０００８】
【図１】本発明の実施の形態１によるねじアップ式端子台装置を示す要部断面図。
【図２】図１に示すねじアップ式端子台装置の動作を説明する要部断面図。
【図３】本発明の実施の形態２によるねじアップ式端子台装置を示す要部断面図。
【図４】本発明の実施の形態３によるねじアップ式端子台装置を示す要部断面図。
【図５】本発明の実施の形態４によるねじアップ式端子台装置を示す要部断面図。
【図６】本発明の実施の形態５によるねじアップ式端子台装置を示す要部断面図。
【図７】本発明の実施の形態６によるねじアップ式端子台装置を示す要部断面図。
【発明を実施するための形態】
【０００９】
実施の形態１．
図１は本発明の実施の形態１によるねじアップ式端子台装置を示す要部断面図、図２は図１に示すねじアップ式端子台装置の動作を説明する要部断面図である。なお、各図を通じて同一符号は同一または相当部材、部分を示している。
図において、ねじアップ式端子台装置は、例えば樹脂材などで構成された基体１と、この基体１に対して絶縁保持され、図における上面部の両側部に左右対称的に設けられた左右一対のねじ穴２ａを有する端子金具２と、図２に示す例えば信号ケーブルなどの配線８の端部に設けられた丸型圧着端子８ａを端子金具２に固定するための、ねじ穴２ａに螺合される端子ねじ３と、その端子ねじ３を回転自在に係止すると共に、該端子ねじ３をねじ穴２ａから緩めて、螺合関係が解放される状態に至ったときに端子ねじ３をねじ穴２ａから上方向へ離間させるための圧縮ばね４が装着された端子ねじ保持部材５を備えている。
【００１０】
端子ねじ保持部材５は、基体１に設けられたガイド部６に対してねじ穴２ａの軸方向と平行に所定範囲で移動できるように係合された平行移動部５ａと、その平行移動部５ａに対してヒンジ７Ａを介して端子金具２の上面に対向するように突出され、図の上方向に回動可能に連結された端子ねじ係止部５ｂからなっている。なお、端子ねじ３は、端子ねじ係止部５ｂに対して回転自在に係止されていると共に、図示省略している例えば公知の抜け止め機構によって端子ねじ係止部５ｂから脱落しないように係止されている。
【００１１】
また、ヒンジ７Ａは、ここでは蝶番構造のものであり、丸棒状のヒンジ軸７ａを保持する円筒部を板金により一体形成した第１部材を平行移動部５ａが兼ねるように構成され、ヒンジ軸７ａに回動可能に係合される、前記円筒部とは軸方向の位置をずらした他の円筒部を板金により一体形成した第２部材を端子ねじ係止部５ｂが兼ねるように構成されている。また、本書では、ヒンジ７Ａのように、平行移動部５ａ（第１部材）に対して連結される、端子ねじ係止部５ｂ（第２部材）を回動可能に接続する部材を、便宜上、可回動部材と呼ぶこととする。そして、その可回動部材であるヒンジ７Ａは、回動部の構造上、回動可能角度が例えば２７０°程度以下など一定の角度以下に制限されることを利用して、端子ねじ係止部５ｂが水平方向の位置よりも図の下方向には回動しないように回動方向を規制している。
【００１２】
なお、ヒンジ７Ａの構成や回動方向の規制手法は前述の構造に限定されるものではない。例えば、回動範囲の規制は、平行移動部５ａから端子ねじ係止部５ｂの自由状態での回動軌跡内に爪などの回動規制部材（図示省略）を突出させ、端子ねじ係止部５ｂが図における水平方向となった時に該端子ねじ係止部５ｂに干渉するように構成することで、水平よりも下方向に回動することを制限できる。また、端子ねじ係止部５ｂは、座金の機能を有している。また、圧縮ばね４は平行移動部５ａの下端部と基体１の下部に設けられたばね保持部１ａとの間に介在されて、端子ねじ保持部材５を常時図の上方向に付勢している。なお、この実施の形態１では、端子ねじ３をアップさせる機構は図における左右対称的に設けられ、さらに図１に示す端子固定部は図１の紙面の前後方向に相互に離間されて、同様の構成で複数設けられているが、左右対称性や前後方向の設置個数などは特に限定されるものではない。また、圧縮ばね４は引張りばねなど他の弾性部材を用いて同様の機能を構成できることは言うまでもない。また、配線８の端部に設ける接続用の端子は丸型圧着端子８ａに限定されず、例えばＹ型圧着端子などでも良い。
【００１３】
次に、上記のように構成された実施の形態１の動作について説明する。まず、端子ねじ３が緩められ、端子金具２のねじ穴２ａから外された状態では、端子ねじ保持部材５が圧縮ばね４の付勢力によって端子金具２の上方部にアップされ、端子ねじ保持部材５の端子ねじ係止部５ｂに係止されている端子ねじ３は、図１に示すように、端子ねじ３の下端部と端子金具２の上面との間に、隙間が形成されて静止した状態となっている。接続する配線の丸型圧着端子８ａを接続する場合には、図２に示すように、手動にて端子ねじ３または端子ねじ係止部５ｂを一体的に上方向に回転させ、斜め上方より目視しながら丸型圧着端子８ａの穴（図示省略）に端子ねじ３の軸部を挿通させる。そして、端子ねじ３を端子ねじ係止部５ｂと共に下方向に回転させ、端子ねじ３を圧縮ばね４の付勢力に抗して下方に押し下げて、ねじ穴２ａに螺合させ、さらに端子ねじ３を時計方向に回転させて端子金具２に締め付けて接続し、固定する。
【００１４】
上記のように構成された実施の形態１によれば、端子ねじ３を保持している端子ねじ係止部５ｂを、端子ねじ保持部材５における平行移動部５ａに対してヒンジ７Ａによって上方向に回動可能に設けたことにより、配線８を斜め上方から挿入できるように端子ねじ係止部５ｂの角度を変えることができるので、作業がし易くなると共に、端子ねじ３に対する配線先端部の丸型圧着端子８ａの係合状態を容易に確認できる。そのため、配線接続作業の確実化を図ることができ、ねじアップ式端子台装置の接続の信頼性を向上できる。また、配線８を斜め上方より接続できるため水平方向の作業スペースを少なくすることが可能となるなどの顕著な効果が得られる。
【００１５】
実施の形態２．
図３は本発明の実施の形態２によるねじアップ式端子台装置を示す要部断面図である。
図３において、端子ねじ係止部５ｂは、端子ねじ保持部材５における平行移動部５ａに対して可回動部材としての板ばね７Ｂを介して連結されている。なお、端子ねじ係止部５ｂと板ばね７Ｂとの接続、及び板ばね７Ｂと平行移動部５ａとの接続は、ここでは抵抗溶接によって行われているが、特に溶接に限定されるものではなく、例えばかしめ、嵌合、スナップフィット、接着材などの周知の適宜の固定手段によって接続することができる。また、実施の形態１で説明した端子ねじ係止部５ｂの水平よりも下方向への回動を制限するために、その回動軌跡内に突出させた爪などの回動規制部材（図示省略）を設けることは望ましい。その他の構成は実施の形態１と同様であるので説明を省略する。
【００１６】
上記のように構成された実施の形態２においては、配線８の丸型圧着端子８ａをねじアップ式端子台装置に固定する際に、手や締結具などの工具の先などで端子ねじ係止部５ｂを上方向に板ばね７Ｂを変形させる際の反発力に抗して引き上げて図２のような姿勢を得ることで、実施の形態１と同様に作業性を確保することができ、端子ねじ３に対する配線先端部の丸型圧着端子８ａの係合状態の確認も容易にできる。そのため、配線接続作業の確実化を図ることができ、ねじアップ式端子台装置の接続の信頼性を向上できる。また、配線８を斜め上方より接続できるため水平方向の作業スペースを少なくすることが可能となるなどの顕著な効果が得られる。また、板ばね７Ｂを用いているため、丸型圧着端子８ａを端子ねじ３の軸部に係合させた後は、端子ねじ係止部５ｂを上方向に引き上げている手を離したときに板ばね７Ｂによって端子ねじ係止部５ｂが元の水平方向に戻るので、作業が簡単であるという利点もある。また、端子ねじ係止部５ｂと板ばね７Ｂとの接続、及び板ばね７Ｂと平行移動部５ａとの接続を、抵抗溶接で行うことができるので、製造が容易である。
【００１７】
実施の形態３．
図４は本発明の実施の形態３によるねじアップ式端子台装置を示す要部断面図である。図４において、端子ねじ係止部５ｂは、端子ねじ保持部材５における平行移動部５ａに対して可回動部材としての可撓導体７Ｃを介して連結されている。なお、可撓導体７Ｃとしては、多数の細線を撚り合わせた撚線が用いられるが、特に撚線に限定されるものではなく、例えば網組線や、錫などの可撓性を有する金属などを用いることができる。また、可撓導体７Ｃに対する平行移動部５ａや端子ねじ係止部５ｂとの接続手法、及び端子ねじ係止部５ｂの回動規制部材（図示省略）の設置などは実施の形態２と同様であるので説明を省略する。
【００１８】
上記のように構成された実施の形態３においては、端子ねじ３を保持している端子ねじ係止部５ｂを、端子ねじ保持部材５における平行移動部５ａに対して可撓導体７Ｃによって上方向に回動可能に設けたことにより、配線８を斜め上方から挿入するように変えることができるので、作業がし易くなると共に、端子ねじ３に対する配線先端部の丸型圧着端子８ａの係合状態を容易に確認できる。そのため、配線接続作業の確実化を図ることができ、ねじアップ式端子台装置の接続の信頼性を向上できる。また、配線８を斜め上方より接続できるため水平方向の作業スペースを少なくすることが可能となるなどの顕著な効果が得られる。また、可撓導体７Ｃの端子ねじ係止部５ｂや平行移動部５ａとの接続を、抵抗溶接で行うことができるので、製造が容易である。
【００１９】
実施の形態４．
図５は本発明の実施の形態４によるねじアップ式端子台装置を示す要部断面図である。図５において、端子ねじ係止部５ｂは、端子ねじ保持部材５における平行移動部５ａに対して可回動部材としてのゴム板７Ｄを介して連結されている。なお、ゴム板７Ｄとしては、機械的特性に優れ、熱や化学的安定性にも優れた工業用ゴム材料などを好ましく用いることができるが、特に限定されるものではない。また、ゴム板７Ｄに対する平行移動部５ａや端子ねじ係止部５ｂの接続は、主に接着剤を用いた固定手法が用いられる。また、端子ねじ係止部５ｂの下方向への回動を阻止する回動規制部材（図示省略）の設置などは実施の形態２と同様であるので説明を省略する。
【００２０】
上記のように構成された実施の形態４においては、端子ねじ３を保持している端子ねじ係止部５ｂを、端子ねじ保持部材５における平行移動部５ａに対してゴム板７Ｄによって上方向に回動可能に設けたことにより、配線８を斜め上方から挿入するように変えることができるので、作業がし易くなると共に、端子ねじ３に対する配線先端部の丸型圧着端子８ａの係合状態を容易に確認できる。そのため、配線接続作業の確実化を図ることができ、ねじアップ式端子台装置の接続の信頼性を向上できる。また、配線８を斜め上方より接続できるため水平方向の作業スペースを少なくすることが可能となるなどの顕著な効果が得られる。また、ゴム板７Ｄの端子ねじ係止部５ｂや平行移動部５ａとの接続を、接着材で行うことができるので、製造が容易である。
【００２１】
実施の形態５．
図６は本発明の実施の形態５によるねじアップ式端子台装置を示す要部断面図である。図６において、座金の機能を有する端子ねじ保持部材５Ａは、基体１に対してねじ穴２ａの軸方向と平行に所定範囲で移動自在に係合され、所定部に、長径が移動方向を向くように形成された長穴５ａ１を有する平行移動部５ａと、Ｌ字状に折曲形成され１辺がその平行移動部５ａに対して端子金具２に平行に対向するように突出され、他辺が平行移動部５ａの側面に摺動移動可能に当接するように配設された端子ねじ係止部５ｂと、長穴５ａ１に挿通されて平行移動部５ａを貫通し、平行移動部５ａと端子ねじ係止部５ｂとを連結し、端子ねじ係止部５ｂが、平行移動部５ａに対してねじ穴２ａの軸方向と平行にスライド移動可能に係止する係止ピン５ｃによって構成されている。また、端子ねじ係止部５ｂは係止ピン５ｃの周りに回動しないように構成されている。
【００２２】
上記のように構成された実施の形態５においては、端子ねじ３を緩めて、端子ねじ保持部材５Ａが端子金具２の上方部にアップされた状態で配線８を接続する際に、端子ねじ係止部５ｂを更に上方にスライド移動することで端子金具２の上面と端子ねじ係止部５ｂとの間の寸法を広げることができるので、斜め上方からのねじ穴２ａの視認、あるいは、端子ねじ３の軸部先端への丸型圧着端子８ａの装着作業を行うことが容易となる。そのため、端子ねじ３に丸型圧着端子８ａが確実に挿入されたことを容易に目視で確認でき、配線接続作業の確実化を図ることができ、ねじアップ式端子台装置の接続の信頼性を向上できるなど、実施の形態１と同様の効果を得ることができる。
【００２３】
実施の形態６．
図７は本発明の実施の形態６によるねじアップ式端子台装置を示す要部断面図である。図７において、端子ねじ保持部材５Ｂにおける端子金具２Ａは、基体１が基準的な状態である水平方向の姿勢にあるときに、端部に丸型圧着端子８ａなどの端子を設けた配線８の挿入方向が、斜め上から斜め下方向となるように傾斜されており、その傾斜に応じて、ねじ穴２ａの軸方向、及び、端子ねじ保持部材５Ｂの移動方向（アップ方向）、従って平行移動部５ａの移動方向も図７に示すように上部側が中心部側に傾斜されている。そして、端子ねじ係止部５ｂは、平行移動部５ａと一体形成されて、端子ねじ保持部材５ＢとしてはＬ字形の一体物となっている。また、端子ねじ保持部材５Ｂは、他の実施の形態と同様に左右対称的であることにより、基体１Ａは、下側の幅寸法よりも上側の幅寸法の方が狭く形成されている。
【００２４】
上記のように構成された実施の形態５においては、端子ねじ３を緩めて、端子ねじ保持部材５Ｂが端子金具２Ａの上方部にアップされた状態で配線８を接続する際に、端子ねじ係止部５ｂは図７に示すように、挿入側が構造的に上方向を向いているので、特別な操作を行うことなく端子金具２Ａの上面やねじ穴２ａの視認、あるいは、端子ねじ３の軸部先端への丸型圧着端子８ａの装着作業を行うことが容易となる。そのため、端子ねじ３に丸型圧着端子８ａが確実に挿入されたことを容易に目視で確認でき、配線接続作業の確実化を図ることができ、ねじアップ式端子台装置の接続の信頼性を向上できるなど、実施の形態１と同様の効果を得ることができる。
また、この実施の形態５では、基体１Ａの下側の幅寸法が若干大きくなるものの、構造が簡素であるため、製造が簡単で安価に提供することもできるほか、配線の接続時に端子ねじ係止部５ｂを上方に回動させたり、上方に引き上げるなどの特別な操作が不要となるので、作業性を一層改善できるという効果も得られる利点がある。
【００２５】
なお、本発明は、その発明の範囲内において、各実施の形態の一部または全部を自由に組み合わせたり、各実施の形態を適宜、変形、省略することが可能である。
【符号の説明】
【００２６】
１、１Ａ  基体、２、２Ａ  端子金具、２ａ  ねじ穴、３  端子ねじ、
４  圧縮ばね（弾性部材）、５、５Ａ、５Ｂ  端子ねじ保持部材、５ａ  平行移動部、
５ａ１  長穴、５ｂ  端子ねじ係止部、５ｃ  係止ピン、６  ガイド部、
７Ａ  ヒンジ（可回動部材）、７ａ  ヒンジ軸、７Ｂ  板ばね（可回動部材）、
７Ｃ  可撓導体（可回動部材）、７Ｄ  ゴム板（可回動部材）、８  配線、
８ａ  丸型圧着端子。
【図１】
2016207294.tif 000003
【図２】
2016207294.tif 000004
【図３】
2016207294.tif 000005
【図４】
2016207294.tif 000006
【図５】
2016207294.tif 000007
【図６】
2016207294.tif 000008
【図７】
2016207294.tif 000009